(57)【特許請求の範囲】
【請求項１】
左右方向に並設された多数の鍵から成る鍵盤が載置された水平な棚板を有する楽器本体と、
前記棚板の下側に間隔を隔てて配置され、前記棚板の後端よりも後方に延びる底板と、当該底板の前端部に立設され、前記棚板に連結された前板とを有し、楽音を放音するためのスピーカを収容するスピーカボックスと、
当該スピーカボックス内の前記前板よりも後ろ側に間隔を隔てて配置され、前記底板に立設されるとともに、前記棚板に連結された衝立板と、
前記底板の後端部に連結され、前記楽器本体および前記スピーカボックスの背面側を覆う背板と、
を備えることを特徴とする電子鍵盤楽器。
【請求項２】
前記衝立板の背面に、楽音を生成するための基板が取り付けられていることを特徴とする、請求項１に記載の電子鍵盤楽器。
【請求項３】
前記棚板には、前記多数の鍵を支持する鍵盤シャーシが載置され、
前記棚板と前記鍵盤シャーシとの間に敷設された第１導電シートと、
前記衝立板の背面と前記基板との間に敷設されるとともに、前記第１導電シートに電気的に接続された第２導電シートと、をさらに備えることを特徴とする、請求項２に記載の電子鍵盤楽器。
【請求項４】
前記棚板には、前記多数の鍵を支持する鍵盤シャーシと、当該鍵盤シャーシの後端部に連結され、前記鍵の押鍵に伴って回動する多数のハンマーを支持するハンマーシャーシとが、載置されており、
前記衝立板は、前記鍵盤シャーシの後端部付近に相当する位置に配置されていることを特徴とする、請求項１または２に記載の電子鍵盤楽器。
【発明の詳細な説明】
【技術分野】
【０００１】
本発明は、電子ピアノなどの電子鍵盤楽器に関し、特に、鍵盤などを有する楽器本体の下側にスピーカを収容するスピーカボックスを配置した電子鍵盤楽器に関する。
【背景技術】
【０００２】
従来のこの種の電子鍵盤楽器として、例えば特許文献１に開示されたものが知られている。この電子鍵盤楽器は、鍵盤などを収容する楽器本体と、その下側に配置され、スピーカを収容するスピーカボックスを備えている。楽器本体は、棚板、天板、左右の腕木および背板などを互いに連結することによって、ボックス状に形成されている。棚板には、スピーカに対応する位置に開口が形成されている。
【０００３】
スピーカボックスは、左右方向に延びる底板、天板、前板および背板を一体に組み立てたものである。スピーカは底板に取り付けられおり、底板には、スピーカの放音面が臨むように開口が形成されている。また、天板には、多数の連通孔が形成されている。
【０００４】
以上の構成のスピーカボックスは、楽器スタンドの左右の側板間に挟み付けられた状態で、これに固定される。また、楽器スタンドに楽器本体が載せられ、固定されることによって、電子鍵盤楽器が組み立てられる。鍵の押鍵に伴って生成された楽音は、スピーカの放音面から、スピーカボックスの底板の開口を介して放射されるとともに、スピーカの他の部分から、スピーカボックスの天板の連通孔や棚板の開口などを介して放射される。
【先行技術文献】
【特許文献】
【０００５】
【特許文献１】特開２０００−８１８８５号公報
【発明の概要】
【発明が解決しようとする課題】
【０００６】
しかし、この従来の電子鍵盤楽器では、鍵盤などが載置された棚板は、その外周部において、腕木や背板に連結され、楽器スタンドに支持されている。このため、鍵盤などの大きな荷重により、棚板が大きくたわむことによって、鍵盤の外観の低下や鍵の動作不良を招くおそれがある。また、棚板には、スピーカから放射された楽音を楽器本体側に導くための開口が形成されており、その分、棚板の剛性が低下するため、このこともまた、棚板のたわみをさらに増大させる原因になる。
【０００７】
また、楽器本体とスピーカボックスが互いに独立して構成されているので、それらの背板もまた、別個に取り付ける必要がある。このため、分離した２枚の背板が電子鍵盤楽器の背面に現れるとともに、背板を固定するねじの数も増えることから、電子鍵盤楽器の外観が低下してしまう。また、棚板に背板が接しているため、スピーカの放音に伴うスピーカボックスの振動が棚板から背板に伝わり、ビリつきなどの雑音を発生させるおそれがあるので、棚板と背板の間に防振クッションを貼るなどの防音対策が必要になる。
【０００８】
本発明は、上記のような課題を解決するためになされたものであり、鍵盤が載置された棚板を適正に支持し、棚板のたわみを抑制できるとともに、楽器本体およびスピーカボックスを覆う背板の共通化により、電子鍵盤楽器の外観を向上させることができる電子鍵盤楽器を提供することを目的とする。
【課題を解決するための手段】
【０００９】
上記の目的を達成するために、本願の請求項１に係る電子鍵盤楽器は、左右方向に並設された多数の鍵から成る鍵盤が載置された水平な棚板を有する楽器本体と、棚板の下側に間隔を隔てて配置され、棚板の後端よりも後方に延びる底板と、底板の前端部に立設され、棚板に連結された前板とを有し、楽音を放射するためのスピーカを収容するスピーカボックスと、スピーカボックス内の前板よりも後ろ側に間隔を隔てて配置され、底板に立設されるとともに、棚板に連結された衝立板と、底板の後端部に連結され、楽器本体およびスピーカボックスの背面側を覆う背板と、を備えることを特徴とする。
【００１０】
この電子鍵盤楽器では、鍵盤が載置された楽器本体の棚板の下側に、スピーカを収容するスピーカボックスが配置されている。スピーカボックスは、底板と、底板の前端部に立設された前板を有しており、前板は棚板に連結されている。また、スピーカボックス内には、前板の後ろ側に間隔を隔てて衝立板が配置されており、この衝立板もまた、底板に立設されるとともに、棚板に連結されている。以上の構成により、鍵盤を載置した棚板が、スピーカボックスの前板および衝立板により、前後方向の２箇所においてバランス良く適正に支持されるので、鍵盤の荷重などによる棚板のたわみを十分に抑制でき、したがって、鍵盤の外観や鍵の動作を良好に維持することができる。
【００１１】
また、スピーカボックスの底板は棚板の後端よりも後方に延び、底板の後端部には背板が連結され、この背板は、楽器本体およびスピーカボックスの背面側を覆っている。このように、背板を棚板に連結せず、底板のみに連結しても、棚板は前板および衝立板によって適正に支持されているので、棚板のたわみが過大になるなどの不具合は生じない。また、棚板と背板が互いに接していないことで、スピーカボックスの振動に伴って発生する棚板の振動が背板には伝わらないので、従来と異なり、この振動に起因する雑音を防止するための格別の防音対策は不要になる。さらに、背板が楽器本体とスピーカボックスに共通の１枚の板で構成されるので、楽器本体とスピーカボックスに対して２枚の背板が分離して設けられていた従来の場合と比較して、電子鍵盤楽器の外観を向上させることができる。
【００１２】
さらに、棚板の後端と背板との間に形成される間隙を、電子鍵盤楽器に必要な配線のための通路や、スピーカから放射された楽音を楽器本体側に導くための通音孔として、利用することができる。その結果、同じ目的のための開口や孔を棚板に形成する必要がなくなるので、棚板への開口などの加工や、開口などを介した煩雑な配線作業を省略できるとともに、棚板の剛性が保たれることで、棚板のたわみをさらに抑制することができる。
【００１３】
請求項２に係る発明は、請求項１に記載の電子鍵盤楽器において、衝立板の背面に、楽音を生成するための基板が取り付けられていることを特徴とする。
【００１４】
この構成によれば、衝立板の背面に基板が取り付けられているので、例えば背板だけを取り外した状態で、後方から基板に容易にアクセスでき、したがって、基板の着脱や配線などを容易に行うことができる。
【００１５】
請求項３に係る発明は、請求項２に記載の電子鍵盤楽器において、棚板には、多数の鍵を支持する鍵盤シャーシが載置され、棚板と鍵盤シャーシとの間に敷設された第１導電シートと、衝立板の背面と基板との間に敷設されるとともに、第１導電シートに電気的に接続された第２導電シートと、をさらに備えることを特徴とする。
【００１６】
この構成によれば、基板や鍵盤シャーシなどに発生する静電気や電波障害の原因となる高周波電流を、第１および第２導電シートの全体にわたって広く分散させることにより、静電気対策および電波対策を有効に行うことができる。その結果、両導電シートを導通させるためのさらなる導電シートを背板やスピーカボックスの側板などに設ける必要がなくなり、その分、導電シートの材料コストや設置工数などを削減することができる。
【００１７】
請求項４に係る発明は、請求項１または２に記載の電子鍵盤楽器において、棚板には、多数の鍵を支持する鍵盤シャーシと、鍵盤シャーシの後端部に連結され、鍵の押鍵に伴って回動する多数のハンマーを支持するハンマーシャーシとが、載置されており、衝立板は、鍵盤シャーシの後端部付近に相当する位置に配置されていることを特徴とする。
【００１８】
この構成では、多数の鍵を支持する鍵盤シャーシの後端部に、多数のハンマーを支持するハンマーシャーシが連結されているため、棚板に作用する荷重は、鍵盤シャーシの後端部付近で特に大きくなる。本発明によれば、衝立板が、鍵盤シャーシの後端部付近に相当する位置に配置されることで、作用する荷重が特に大きな棚板の部位を支持するので、請求項１による前述した作用をより効果的に得ることができる。
【図面の簡単な説明】
【００１９】
【図１】本発明の一実施形態による電子ピアノの（ａ）正面図および（ｂ）側面図である。
【図２】図１（ａ）のII−II線に沿う部分拡大断面図である。
【図３】図１（ａ）のIII−III線に沿う部分拡大断面図である。
【発明を実施するための形態】
【００２０】
以下、図面を参照しながら、本発明の好ましい実施形態を詳細に説明する。図１に示すように、本発明を適用した電子ピアノ１は、ピアノ本体２と、ピアノ本体２の下側に配置されたスピーカボックス３と、ピアノ本体２およびスピーカボックス３を支持するスタンド４を備えている。なお、以下では、演奏者から見たときの電子ピアノ１の手前側、奥側、左側および右側を、それぞれ「前」「後」「左」および「右」として、説明を行うものとする。
【００２１】
スタンド４は、前後方向に延びる左右の妻土台５、５と、各妻土台５から上方に延びる左右の側板６、６と、妻土台５、５の下端部間に連結されたペダル土台７と、側板６、６間の背面側を覆うスタンド背板８などで構成されている。ペダル土台７の中央には３つのペダル７ａが設けられている。
【００２２】
ピアノ本体２は、本体ケース１１と、本体ケース１１に収容された鍵盤装置１２と、本体ケース１１を開閉する鍵盤蓋１４などをを備えている。
【００２３】
本体ケース１１は、矩形状の水平な棚板１６、左右の腕木１７、１７、天板１８および背板２０などを互いに連結し、ボックス状に組み立てたものである。棚板１６および腕木１７の背面側を覆う背板２０は、棚板１６を越えて下方に延びており、スピーカボックス３の背面側をも覆っている。すなわち、背板２０は、ピアノ本体２とスピーカボックス３に共通の１枚の板で構成されている。また、棚板１６の後端は、天板１８の後端よりも前側に位置しており、その結果、棚板１６は背板２０に直接的には連結されておらず、両者１６、２０の間には間隙Ｇが形成されている。
【００２４】
鍵盤装置１２は、棚板１６上に設けられた金属製の鍵盤シャーシ２１と、鍵盤シャーシ２１に支持された多数の鍵（白鍵および黒鍵）２２から成る鍵盤２３と、鍵盤シャーシ２１の後端部に連結され、上方に延びる金属製のハンマーシャーシ２４と、ハンマーシャーシ２４に回動自在に支持された多数のハンマー２５（１つのみ図示）と、ハンマーシャーシ２４に設けられ、鍵２２の押鍵情報を検出する鍵スイッチ２６などを備えている。
【００２５】
棚板１６と鍵盤シャーシ２１およびハンマーシャーシ２４との間には、導電性の材料、例えばアルミニウムから成る第１導電シート５１が敷設されている。この第１導電シート５１は、棚板１６の後端から下面に沿って前方に回り込み、さらに棚板１６の下面に取り付けた付木１６ａの背面および下面を覆うように貼り付けられている。
【００２６】
鍵２２は、アコースティックピアノの鍵と同様、主として木質材で構成されている。鍵２２の前後方向の中央には、バランスピン孔２２ａが形成され、鍵盤シャーシ２１には、多数のバランスピン２７が左右方向に並設されている。鍵２２は、そのバランスピン孔２２ａがバランスピン２７に係合した状態で、鍵盤シャーシ２１に上下方向に揺動自在に支持されている。また、鍵盤シャーシ２１の前部には多数のフロントピン２８が左右方向に並設されており、鍵２２の前部に形成されたフロントピン孔２２ｂがフロントピン２８に係合していることで、鍵２２の揺動時の横振れが阻止される。
【００２７】
ハンマー２５は、後端部においてハンマーシャーシ２４のハンマー支点２４ａに回動自在に支持されるとともに、鍵２２の後端部に載置されており、押鍵時に、鍵２２によって突き上げられ、上方に回動する。鍵スイッチ２６は、複数の接点を有するゴムスイッチで構成されており、押鍵に伴って上方に回動したハンマー２５で押圧されることにより、鍵２２の押鍵の有無および押鍵速度を含む押鍵情報を検出する。
【００２８】
また、鍵盤蓋１４は、スライド式のものであり、その前側の左右の端部には、外方に突出するガイドピン２９が設けられ、後ろ側の左右の端部には、回転自在のピニオン３０が設けられている（各１つのみ図示）。一方、左右の腕木１７、１７の内側面の前部には、腕木１７の外縁に沿って延びるガイド溝３１が形成され、後部には、前後方向に延びるラック３２が設けられている。鍵盤蓋１４の各ガイドピン２９はガイド溝３１に係合し、各ピニオン３０はラック３２と噛み合っている。この構成により、鍵盤蓋１４は、左右のガイド溝３１およびラック３２によって案内されながら、前後方向にスライドする。
【００２９】
次に、本発明に係るスピーカボックス３の構成について説明する。図１に示すように、スピーカボックス３は、ピアノ本体２の下側に隣接して配置され、左右の側板６、６の間に、その全体にわたって設けられている。
【００３０】
図２に示すように、スピーカボックス３は、棚板１６の下側に間隔を隔てて配置された水平な底板３６と、底板３６の前端部に立設された前板３７によって構成されており、Ｌ字形の断面を有する。
【００３１】
底板３６は、その前後方向長さがスタンド４の側板６とほぼ同じで、棚板１６の約１／２であり、棚板１６の後半部に相当する位置に配置されている。また、底板３６の左右の端部には、円形の放音孔３６ａが形成されている。
【００３２】
前板３７は、その下端部において、底板３６の前端部に一体に連結されるとともに、上端部の左右方向の複数の箇所において、棚板１６の前後方向の中央に、Ｌ金具３９およびねじ４０（１つのみ図示）を用いて固定されている。
【００３３】
スピーカボックス３の内部には、左右のスピーカ３５、３５が収容されるとともに、衝立板３８が設けられている。スピーカ３５、３５は、スピーカボックス３の左右の端部に配置されており、その放音面３５ａが底板３６の放音孔３６ａに上方から臨んだ状態で、底板３６に取り付けられている。
【００３４】
一方、衝立板３８は、スピーカボックス３内の、スピーカ３５、３５を配置した左右の端部以外の部分に、左右方向に延びるように配置されている（図１（ａ）参照）。また、衝立板３８は、底板３６の後ろ側に間隔を隔てて、ハンマーシャーシ２４が隣接する鍵盤シャーシ２１の後端部付近に相当する位置に配置されている。衝立板３８は、その下端部の左右方向の複数の箇所において、Ｌ金具およびねじ（いずれも図示せず）を用いて底板３６に固定されるとともに、上端部の複数の箇所において、棚板１６の後端部に、付木１６ａを介してねじ（図示せず）で固定されている。
【００３５】
また、スピーカボックス３には、基板４１などの電子回路部品やアンプなどの音響部品（図示せず）を含む楽音生成装置が設けられている。これらのうち、基板４１は衝立板３８の背面に取り付けられている。この基板４１と鍵スイッチ２６は導線（図示せず）によって互いに接続されており、この導線は、棚板１６と背板２０の間の間隙Ｇを通って配線されている。
【００３６】
また、衝立板３８の背面と基板４１との間には、前述した第１導電シート５１と同様の構成の第２導電シート５２が敷設されている。この第２導電シート５２は、衝立板３８の上端および下端から前面に回り込み、これらを覆うように貼り付けられている。この構成により、第２導電シート５２は、衝立板３８が付木１６ａを介して棚板１６に取り付けられた状態で、第１導電シート５１に接触し、導通される。したがって、両導電シート５１、５２を電気的に接続するための配線は不要である。
【００３７】
前述したように、背板２０は、ピアノ本体２の本体ケース１１からスピーカボックス３にわたる１枚の板で構成されている。背板２０は、左右の腕木１７、１７やスピーカボックス３の底板３６に、複数のＬ金具４２およびねじ４３（１つのみ図示）を用いて取り付けられ、本体ケース１１およびスピーカボックス３の背面全体を覆っている。
【００３８】
以上の構成により、鍵スイッチ２６で検出された押鍵情報を表す信号は、導線を介して基板４１に入力され、この信号に基づいて楽音生成装置で生成された楽音が、左右のスピーカ３５の放射面３５ａや背面などから放射される。図２に矢印Ａで示すように、スピーカ３５の放音面３５ａから放射された楽音は、スピーカボックス３の底板３６の放音孔３６ａを介して、電子ピアノ１の下方に放射される。また、図２に矢印Ｂで示すように、スピーカ３５の背面などから放射された楽音は、棚板１６と背板２０の間の間隙Ｇを通って、本体ケース１１内に伝播し、さらに、鍵盤蓋１４と天板１８の前端部との間の隙間などを介して、電子ピアノ１の前方などに放射される。
【００３９】
上述した構成のピアノ本体２およびスピーカボックス３は、図２に示す状態に組み立てられた後、スタンド４に取り付けられる。具体的には、スピーカボックス３をスタンド４の左右の側板６、６の間にはめ込み、ピアノ本体２の腕木１７、１７を側板６、６に載せた状態で、腕木１７、１７やスピーカボックス３の前板３７と側板６、６との間などを、Ｌ金具およびねじ（図示せず）を用いて連結し、固定することによって、図１に示す電子ピアノ１が組み立てられる。この状態では、ピアノ本体２およびスピーカボックス３の背板２０は、スタンド背板８に連続している。
【００４０】
以上のように、本実施形態によれば、鍵盤シャーシ２１およびハンマーシャーシ２４を載置した棚板１６が、スピーカボックス３の前板３７および衝立板３８により、前後方向の２箇所において適正に支持されるので、鍵盤２３やハンマー２５の荷重などによる棚板１６のたわみを十分に抑制でき、したがって、鍵盤２３の外観や鍵２２およびハンマー２５の動作を良好に維持することができる。また、衝立板３８は、ハンマーシャーシ２４が隣接する鍵盤シャーシ２１の後端部付近に相当する位置に配置されており、作用する荷重が特に大きな棚板１６の部位を支持するので、上述した効果をより有効に得ることができる。
【００４１】
また、棚板１６が前板３７および衝立板３８によって適正に支持される結果、棚板１６が背板２０に連結されていなくても、棚板１６のたわみが過大になるなどの不具合は生じない。さらに、棚板１６と背板２０の間の間隙Ｇを、配線のための通路や、スピーカ３５から放射された楽音を本体ケース１１側に導くための通音孔として、利用することができる。その結果、同じ目的のための開口や孔を棚板１６に形成する必要がなくなるので、棚板１６への開口などの加工や、開口などを介した煩雑な配線作業を省略できるとともに、棚板１６の剛性が保たれることで、棚板１６のたわみをさらに抑制することができる。
【００４２】
また、棚板１６と背板２０が互いに接していないことで、スピーカボックス３の振動に伴って発生する棚板１６の振動が背板２０には伝わらないので、従来と異なり、この振動に起因する雑音を防止するために棚板１６と背板２０の間に防振クッションを貼るなどの格別の防音対策は不要になる。
【００４３】
さらに、背板２０がピアノ本体２とスピーカボックス３に共通の１枚の板で構成されるので、ピアノ本体とスピーカボックスに対して２枚の背板が分離して設けられていた従来の場合と比較して、電子ピアノ１の外観を向上させることができる。また、衝立板３８の背面に基板４１が取り付けられているので、例えば背板２０だけを取り外した状態で、後方から基板４１に容易にアクセスでき、基板４１の着脱や配線などを容易に行うことができる。
【００４４】
さらに、棚板１６と鍵盤シャーシ２１およびハンマーシャーシ２４との間、および衝立板３８と基板４１の間に、第１導電シート５１および第２導電シート５２がそれぞれ敷設され、両導電シート５１、５２が互いに電気的に接続されている。これにより、基板４１や鍵盤シャーシ２１などに発生する静電気や電波障害の原因となる高周波電流を、第１および第２導電シート５１、５２の全体にわたって広く分散させることにより、静電気対策および電波対策を有効に行うことができる。その結果、両導電シート５１、５２を導通させるためのさらなる導電シートを背板２０やスピーカボックス３の側板などに設ける必要がなくなり、その分、導電シートの材料コストや設置工数などを削減することができる。
【００４５】
なお、本発明は、説明した上記実施形態に限定されることなく、種々の態様で実施することができる。例えば、実施形態では、基板４１を衝立板３８の背面に取り付けているが、これに限らず、底板３６の上面に取り付けてもよい。また、実施形態では、電子鍵盤楽器がハンマーを有する電子ピアノの例であるが、これに限らず、本発明を他のタイプの電子ピアノや電子オルガンなどの電子鍵盤楽器に適用してもよいことは、もちろんである。その他、本発明の趣旨の範囲内で細部の構成を適宜、変更することが可能である。
【符号の説明】
【００４６】
１  電子ピアノ（電子鍵盤楽器）
２  ピアノ本体（楽器本体）
３  スピーカボックス
１６  棚板
２０  背板
２１  鍵盤シャーシ
２２  鍵
２３  鍵盤
２４  ハンマーシャーシ
２５  ハンマー
３５  スピーカ
３６  底板
３７  前板
３８  衝立板
４１  基板
５１  第１導電シート
５２  第２導電シート
Ｇ  間隙
【図１】
0005909146.tif 000002
【図２】
0005909146.tif 000003
【図３】
0005909146.tif 000004